(57)【要約】【課題】外観上、他の部分と異なる部位が存在したとしても、この部位が目立ち難い化粧板及びその製造方法を提供する。【解決手段】化粧板１は、表面に同一の形状パターン２０が繰り返し形成された基材２を備える。前記表面に印刷パターン４０が形状パターン２０毎に印刷される。前記表面に２種類以上の印刷パターン４０が印刷される。【選択図】図１
2019077096.tif 000002
【特許請求の範囲】
【請求項１】
表面に同一の形状パターンが繰り返し形成された基材を備え、
前記表面に印刷パターンが前記形状パターン毎に印刷された化粧板であって、
前記表面に２種類以上の前記印刷パターンが印刷された化粧板。
【請求項２】
請求項１に記載の化粧板において、
前記印刷パターンの各々が、隣接する前記印刷パターンと異なった化粧板。
【請求項３】
請求項１又は請求項２に記載の化粧板において、
前記形状パターンの各々は、
複数の凸部を含み、
前記２種類以上の印刷パターンの各々は、
前記複数の凸部の各々に対応する印刷模様を含んだ化粧板。
【請求項４】
請求項１〜３のいずれか１項に記載の化粧板の製造方法であって、
基材の表面に同一の形状パターンを繰り返し形成する形状形成工程と、
前記基材の表面に、印刷パターンを前記形状パターン毎に印刷して、前記表面に２種類以上の前記印刷パターンを印刷する印刷工程と、を備える化粧板の製造方法。
【請求項５】
請求項４に記載の化粧板の製造方法において、
前記形状形成工程では、前記基材にローラーを押し付けることで、前記表面に前記形状パターンとしての凹凸パターンを連続的に繰り返し形成し、
前記印刷工程では、前記表面に前記２種類以上の印刷パターンを印刷する化粧板の製造方法。
【請求項６】
請求項４又は５に記載の化粧板の製造方法において、
前記形状形成工程と前記印刷工程とを繰り返し実行して複数の化粧板を順次製造する場合に、前記印刷工程において、前の前記化粧板に印刷された最終の印刷パターンと、その後の前記化粧板に印刷された最初の印刷パターンとが異なる化粧板の製造方法。
【発明の詳細な説明】
【技術分野】
【０００１】
本発明は、化粧板及びその製造方法に関する。
【背景技術】
【０００２】
特許文献１には建築用板が開示されている。この建築用板は、表面に複数の凸状ブロックが形成され、この表面に、グラビア印刷等による柄模様が長手方向に繰り返し形成されている。
【先行技術文献】
【特許文献】
【０００３】
【特許文献１】特許第２９９５５３４号公報
【発明の概要】
【発明が解決しようとする課題】
【０００４】
前記建築用板を複数枚並べて、壁を形成すると、この壁には柄模様が単調に繰り返して現れる。この場合に、例えば一枚の建築用板に印刷不具合が生じると、全体が単調な柄模様の繰り返しであるが故に、この印刷不具合が目立ちやすくなるという課題がある。
【０００５】
本発明は前記事情に鑑みてなされたものであって、柄模様が繰り返し形成された化粧板に他の部分と異なる部位が存在したとしても、この部位が目立ち難い化粧板及びその製造方法を提供することを目的とする。
【課題を解決するための手段】
【０００６】
前記目的を達成するために本発明に係る一態様の化粧板は、表面に同一の形状パターンが繰り返し形成された基材を備え、前記表面に印刷パターンが前記形状パターン毎に印刷された化粧板であって、前記表面に２種類以上の前記印刷パターンが印刷されたことを特徴とする。
【０００７】
また、本発明に係る一態様の化粧板の製造方法は、前記化粧板の製造方法であって、基材の表面に同一の形状パターンを繰り返し形成する形状形成工程と、前記基材の表面に、印刷パターンを前記形状パターン毎に印刷して、前記表面に２種類以上の前記印刷パターンを印刷する印刷工程と、を備えることを特徴とする。
【発明の効果】
【０００８】
本発明に係る一態様の化粧板及び化粧板の製造方法にあっては、柄模様が繰り返し形成された化粧板に外観上、他の部分と異なる部位が存在したとしても、この部位を目立ち難くすることができる。
【図面の簡単な説明】
【０００９】
【図１】図１は、本発明に係る一実施形態の化粧板の正面図である。
【図２】図２は、図１のＡ−Ａ線断面図である。
【図３】図３は、同上の化粧板の印刷に用いられる印刷機の説明図である。
【図４】図４Ａ〜図４Ｃは、同上の化粧板に印刷される印刷パターンを示す正面図である。
【図５】図５は、同上の印刷パターンの割り当て方法を示す説明図である。
【図６】図６は、比較例の化粧板の正面図である。
【発明を実施するための形態】
【００１０】
以下に示す実施形態は、化粧板及びその製造方法に関し、詳しくは、同一の形状パターンが繰り返し形成された基材の表面に対して印刷が施された化粧板及びその製造方法に関する。
【００１１】
図１に示す本実施形態の化粧板１は、矩形板状に形成されている。本実施形態の化粧板１は、外壁材として利用される建築板である。
【００１２】
図２に示すように、化粧板１は、基材２と、基材２の表面（化粧板１が外壁材として施工されたときに屋外側に臨む面）に形成された印刷層４とを備えている。
【００１３】
本実施形態の基材２は、セメント硬化物からなる窯業系基材であり、矩形板状に形成されている。
【００１４】
図１に示すように、基材２の表面には、同一の形状パターン２０が基材２の長手方向に繰り返し形成されている。すなわち、本実施形態の化粧板１の製造工程は、基材２の表面に同一の形状パターン２０を繰り返し形成する形状形成工程を備える。なお、図１における２点鎖線は、隣り合う形状パターン２０の境界を示している。
【００１５】
具体的に形状形成工程では、スラリーを原料として押出成形又は抄造法により成形された基材２の表面に、ローラーが押し付けられることで、当該基材２の表面に形状パターン２０が繰り返し形成される。そして、この基材２が所定の長さに切断されることで、基材２の表面に同一の形状パターン２０が連続的に繰り返し形成された化粧板１が複数形成される。以下、前記切断される前の基材２を成形体２１（図５参照）という。
【００１６】
前記ローラーは、外周面が成形面となったロールを備えている。このロールは、コンベア等の搬送手段で連続的に搬送されている成形体２１の表面に対して、回転しながら押し付けられる。これにより、成形体２１の表面には、形状パターン２０として、前記ロール１周分の凹凸パターンが、成形体２１の搬送方向に繰り返し形成される。この成形体２１は、前記搬送方向と直交する面に沿って切断される。これにより、表面に凹凸模様が形成され、所定の長さを有する基材２が複数形成される。
【００１７】
各形状パターン２０の基材２の厚み方向から見た外形は、長手方向が基材２の長手方向と平行な矩形状である。基材２の長手方向の寸法は、１つの形状パターン２０の長手方向の寸法（前記ロールの外周と一致する長さ）では、自然数で割り切れない値である。具体的に本実施形態の基材２の長手方向の寸法は、３０３０ｍｍであり、各形状パターン２０の長手方向における寸法は、１３２０ｍｍである。このため、基材２の長手方向の両側の端部のうちの少なくとも一方の端部には、形状パターン２０の長手方向の一部のみが形成される。
【００１８】
本実施形態の各形状パターン２０は、基材２の長手方向及び短手方向に並んだ複数の凸部２２と、これら複数の凸部２２を区画する凹部２３とを備えている。各凸部２２は、長手方向が基材２の長手方向と平行な矩形状に形成されている。
【００１９】
凹部２３は、複数の目地３１，３２を備えている。複数の目地３１，３２は、複数の第１目地３１と、複数の第２目地３２とを含む。
【００２０】
各第１目地３１は、基材２の長手方向に隣り合う凸部２２の間に位置し、その長手方向は基材２の短手方向と平行である。各第２目地３２は、基材２の短手方向に隣り合う凸部２２の間に位置し、その長手方向は基材２の長手方向と平行である。
【００２１】
各形状パターン２０は、成形体２１の長手方向に並んで形成されたときに、隣り合う２つの形状パターン２０の互いの凸部２２同士及び第２目地３２同士が連続するような形状を有している。つまり、各形状パターン２０は、隣接する形状パターン２０と連続する形状を有している。このため、隣接する２つの形状パターン２０の境界は、外観上認識し難くなっている。
【００２２】
印刷層４は、基材２の表面の全体に亘って形成されている。本実施形態の印刷層４は、インクジェット印刷によって形成される。印刷層４は、例えば、図３に示す印刷機５を用いて形成される。
【００２３】
印刷機５は、フルカラー印刷を行うインクジェット式印刷機である。印刷機５は、複数の噴射ノズル５０、複数のインク供給タンク５１及び制御装置５２を備えている。
【００２４】
印刷機５は、複数の噴射ノズル５０として、イエロー、シアン、マゼンタ及びブラックの各色のインクを噴射する４種類のノズルを備えている。インク供給タンク５１は、噴射ノズル５０毎に設けられており、噴射ノズル５０に対応する色のインクを供給する。
【００２５】
制御装置５２は、例えば、プロセッサー及び記憶装置等を含むコンピューターである。プロセッサーは例えばＣＰＵ等である。記憶装置は、例えば半導体メモリー又はハードディスク等である。
【００２６】
制御装置５２は、各噴射ノズル５０からのインクの噴射を制御する制御部５３と、複数種類の印刷パターン４０をデータとして記憶する記憶部５４とを備えている。
【００２７】
制御部５３は、基材２の各形状パターン２０に、記憶部５４に記憶された複数種類の印刷パターン４０の中の一つの印刷パターン４０を割り当てる。このとき、制御部５３は、各形状パターン２０に印刷される印刷パターン４０が、隣接する形状パターン２０に印刷される印刷パターン４０と異なるように、印刷パターン４０を割り当てる。
【００２８】
制御部５３は、上述したように各形状パターン２０に割り当てられた印刷パターン４０のデータに基づき、複数の噴射ノズル５０から、コンベア等の搬送装置５５で搬送されている基材２の表面に向かってインクを噴射する。これにより、基材２の表面に複数種類の印刷パターン４０が印刷される。
【００２９】
図１に示すように、各印刷パターン４０の模様は、形状パターン２０の形状に合致した模様であり、印刷模様として、複数の凸部２２の各々に印刷される凸部用印刷模様４１と、凹部２３に印刷される凹部用印刷模様４２とを含む。
【００３０】
各凸部用印刷模様４１は、形状パターン２０のモチーフに合う模様である。例えば、形状パターン２０のモチーフが石積み模様である場合、各凸部用印刷模様４１は、石目調の印刷模様等である。また、形状パターン２０のモチーフが、れんが積み模様である場合、各凸部用印刷模様４１は、れんが調の印刷模様等である。また、形状パターン２０のモチーフが板模様である場合、各凸部用印刷模様４１は、木目調の印刷模様等である。また、凹部用印刷模様４２は、形状パターン２０のモチーフに合う目地模様等である。
【００３１】
記憶部５４に記憶される複数種類の印刷パターン４０は、例えば、凸部用印刷模様４１の色調、凸部用印刷模様４１の各要素の形状、複数の凸部用印刷模様４１のレイアウト、又は凹部用印刷模様４２の色調、あるいはこれら２種以上の組み合わせ等が異なる。ここで、色調が異なるとは、色相、明度及び彩度の全てが異なる場合だけでなく、色相、明度及び彩度のうちの２つだけ又は１つだけが異なる場合も含まれる。また、凸部用印刷模様４１のレイアウトが異なるとは、例えば、前の印刷パターン４０内の所定の凸部２２の印刷模様と、その次の印刷パターン４０内の同一位置の凸部２２の印刷模様と、が異なる場合を含む。
【００３２】
本実施形態の化粧板１の製造工程は、基材２の表面に、印刷パターン４０を形状パターン２０毎に印刷して、基材２の表面に２種類以上の印刷パターン４０を印刷する印刷工程を備える。具体的に印刷工程では、例えば印刷機５を用いて、以下に示すように、基材２の各形状パターン２０に印刷パターン４０が印刷される。記憶部５４には、複数種類の印刷パターン４０として、例えば図４Ａ〜図４Ｃに示す３種類の印刷パターン４０Ａ〜４０Ｃが記憶されている。
【００３３】
図５に示すように、印刷パターン４０Ａ〜４０Ｃは、成形体２１から順次切断された複数の基材２に対して、印刷パターン４０Ａ、印刷パターン４０Ｂ及び印刷パターン４０Ｃの順に印刷され、これにより、印刷パターン４０のレイアウトが異なる複数種類の化粧板１が製造される。なお、図５に示す「Ａ」、「Ｂ」及び「Ｃ」は、それぞれ、印刷パターン４０Ａ、印刷パターン４０Ｂ及び印刷パターン４０Ｃを示している。
【００３４】
すなわち、本実施形態では、前記形状形成工程と前記印刷工程とが繰り返し実行されて複数の化粧板１が順次製造される。そして、これら複数の化粧板１を製造するにあたって、前の化粧板１に印刷された最終の印刷パターン４０と、その後の化粧板１に印刷された最初の印刷パターン４０とが異なるように設定される。
【００３５】
基材２が印刷されるときに搬送装置５５によって搬送される方向（図３の矢印Ｄで示す方向）を基準としたとき、印刷パターン４０Ａは、図４Ａ〜図４Ｃに示すように、上流側端部が印刷パターン４０Ｃの下流側端部に連続し、かつ下流側端部が印刷パターン４０Ｂの上流側端部に連続するような印刷模様である。また、印刷パターン４０Ｂは、上流側端部が印刷パターン４０Ａの下流側端部に連続し、かつ下流側端部が印刷パターン４０Ｃの上流側端部に連続するような印刷模様である。つまり、各印刷パターン４０Ａ〜Ｃは、隣接する印刷パターン４０の印刷模様と連続するような印刷模様を有している。このため、基材２の表面には、図１に示すように、基材２の長手方向の全長に亘って連続的な印刷模様が印刷される。
【００３６】
このように印刷された化粧板１は、建物の躯体に対して複数枚並んだ状態で施工される。このとき、施工される複数枚の化粧板１としては、印刷パターン４０のレイアウトが異なる複数種類の化粧板１が用いられてもよいし、印刷パターン４０のレイアウトが同じ１種類の化粧板１のみが用いられてもよい。
【００３７】
本実施形態の化粧板１は、基材２の表面に変化に富んだ印刷が施されるため、意匠性に優れる。例えば、図６に示すように、各形状パターン２０が１種類の印刷パターン４０で印刷された場合、印刷パターン４０は、隣接する印刷パターン４０と連続するような印刷模様とする制約があることから印刷模様のレイアウトの自由度が高くなく、単調な印刷模様になりやすい。これに対して、本実施形態の化粧板１は、図１に示すように、各印刷パターン４０を、隣接する印刷パターン４０と連続する模様としつつ、例えばコントラストがついた模様とすることができ、これにより、化粧板１全体の外観を向上できる。
【００３８】
ところで、化粧板１の表面には、外観上、他の部分と僅かに異なる部位が存在することがある。例えば、寸法誤差等を要因として、基材２の形状パターン２０の一部が、他の部分と異なる場合、前記一部が前記異なる部位となる。また、基材２の寸法誤差や印刷精度等を要因として、印刷パターン４０が形状パターン２０に対してずれた場合には、この部位が前記異なる部位となる。
【００３９】
ここで、化粧板１が図６に示すように１種類の印刷パターン４０Ａで印刷された場合、化粧板１が複数枚並んだ状態で施工されたときに、前記部位が目立ちやすくなる。これに対して、図１に示す本実施形態の化粧板１は、各化粧板１の基材２の表面に２種類以上の印刷パターン４０が印刷されているため、複数枚並んだ状態で施工された場合に前記部位が、目立ち難い。また、前記部位は、一枚の化粧板１においても目立ち難い。
【００４０】
本実施形態の化粧板１及びその製造方法は、適宜変更可能である。例えば、本実施形態の基材２の表面には、３種類の印刷パターン４０Ａ〜４０Ｃが印刷されるが、２種類の印刷パターン４０が印刷されてもよいし、４種類以上の印刷パターン４０が印刷されてもよい。
【００４１】
また、基材２の表面に印刷される全ての印刷パターン４０のうちの一部の印刷パターン４０は、隣接する印刷パターン４０と同じ印刷パターン４０であってもよい。すなわち、基材２の表面には、２種類以上の印刷パターン４０が印刷されていればよい。
【００４２】
また、基材２の各形状パターン２０は、ローラー以外の成形型を用いて成形されてもよい。また、基材２の各印刷パターン４０は、インクジェット印刷以外の印刷方法によって印刷されてもよい。また、化粧板１の印刷層４は、基材２の表面に直接形成されてもよいし、受理層等を介して形成されてもよい。
【００４３】
また、基材２は窯業系基材に限られず、木質系基材、プラスチック系基材又は金属系基材等であってもよい。また、化粧板１は、屋根材等、外壁材以外の外装材であってもよい。また、化粧板１は、内壁材等の内装材、あるいは塀材等であってもよい。
【００４４】
以上説明した実施形態の化粧板１は、表面に同一の形状パターン２０が繰り返し形成された基材２を備え、前記表面に印刷パターン４０が形状パターン２０毎に印刷された化粧板１であって、以下に示す特徴を有する。前記表面に２種類以上の印刷パターン４０が印刷される。以下、この特徴を有する化粧板１を第１の態様の化粧板１という。
【００４５】
第１の態様の化粧板１は、基材２の表面に２種類以上の印刷パターン４０が印刷されるため、基材２の表面に変化に富んだ印刷が施されて意匠性が向上する。また、化粧板１に、外観上、他の部分と異なる部位が存在したとしても、この部位が目立ち難くなる。特に化粧板１が複数枚並んだ状態で施工されたときには、前記部位が目立ち難くなるため、施工状態における意匠性を向上できる。
【００４６】
また、前記実施形態の化粧板１は、第１の態様の化粧板１が有する特徴に加えて、以下に示す付加的な特徴を有する。印刷パターン４０の各々が、隣接する印刷パターン４０と異なる。以下、この化粧板１を第２の態様の化粧板１という。
【００４７】
第２の態様の化粧板１は、基材２の表面に一層変化に富んだ印刷が施され、前記部位が一層目立ち難くなる。
【００４８】
また、前記実施形態の化粧板１は、第１又は第２の態様の化粧板１が有する特徴に加えて、以下に示す付加的な特徴を有する。形状パターン２０の各々は、複数の凸部２２を含む。２種類以上の印刷パターン４０の各々は、複数の凸部２２の各々に対応する印刷模様（凸部用印刷模様４１）を含む。以下、この化粧板１を第３の態様の化粧板１という。
【００４９】
第３の態様の化粧板１は、凸部２２と、この凸部２２に印刷された印刷模様とがずれたとしても、このずれが目立ち難くなる。
【００５０】
また、前記実施形態の化粧板１の製造方法は、第１〜第３のいずれかの態様の化粧板１の製造方法であって、以下に示す付加的な特徴を有する。化粧板１の製造方法は、基材２の表面に同一の形状パターン２０を繰り返し形成する形状形成工程と、基材２の表面に、印刷パターン４０を形状パターン２０毎に印刷して、前記表面に２種類以上の印刷パターン４０を印刷する印刷工程とを備える。以下、この化粧板１の製造方法を第１の態様の化粧板１の製造方法という。
【００５１】
第１の態様の化粧板１の製造方法は、前記部位が目立ち難い化粧板１を製造することができる。
【００５２】
また、前記実施形態の化粧板１の製造方法は、第１の態様の化粧板１の製造方法において、以下に示す付加的な特徴を有する。前記形状形成工程では、基材２にローラーを押し付けることで、基材２の表面に形状パターン２０としての凹凸パターンを連続的に繰り返し形成し、前記印刷工程では、前記表面に２種類以上の印刷パターン４０を印刷する。以下、この化粧板１の製造方法を第２の態様の化粧板１の製造方法という。
【００５３】
第２の態様の化粧板１の製造方法は、ローラーにより繰り返し形成された凹凸パターンに対する印刷パターン４０のずれが、目立ち難い化粧板１を製造できる。
【００５４】
また、前記実施形態の化粧板１の製造方法は、第１又は第２の態様の化粧板１の製造方法において、以下に示す付加的な特徴を有する。前記形状形成工程と前記印刷工程とを繰り返し実行して複数の化粧板１を順次製造する場合に、前記印刷工程において、前の化粧板１に印刷された最終の印刷パターン４０と、その後の化粧板１に印刷された最初の印刷パターン４０とが異なる。以下、この化粧板１の製造方法を第３の態様の化粧板１の製造方法という。
【００５５】
第３の態様の化粧板１の製造方法では、印刷パターン４０のレイアウトが異なる複数種類の化粧板１を製造することができる。
【符号の説明】
【００５６】
１  化粧板
２  基材
２０  形状パターン
２２  凸部
４０  印刷パターン
【図１】
2019077096.tif 000003
【図２】
2019077096.tif 000004
【図３】
2019077096.tif 000005
【図４】
2019077096.tif 000006
【図５】
2019077096.tif 000007
【図６】
2019077096.tif 000008